(57)【特許請求の範囲】
【請求項１】
被塗装物を保持する保持部材と、該保持部材を備えた本体とからなる小物塗装用補助装置であって、前記保持部材が、略コ字状の可動部と、該可動部の両端に連設される一対のコイル部と、該一対のコイル部から連設される一対の固定部とを有するように折曲形成された一対のバネ線材からなり、前記固定部を本体に固定すると共に、前記可動部により、被塗装物の対向する内面を外方に向かって弾発保持可能に構成するか、又は、被塗装物の対向する外面を内方に向かって弾発保持可能に構成し、前記固定部を本体に対して着脱自在に構成すると共に、前記本体に固定部の取付箇所を複数設け、被塗装物の非保持状態における一対の可動部間の距離を変更可能に構成することを特徴とする小物塗装用補助装置。
【発明の詳細な説明】
【０００１】
【発明の属する技術分野】
本発明は、小物塗装用補助装置に関する。更に詳細には、プラモデルや各種玩具、家庭用各種小物類、工芸用或いは趣味用各種小物類の塗装に有用で軽便な塗装用補助装置に関する。
【０００２】
【従来の技術】
従来より、被塗装物の大きさに合わせて保持することができる小物塗装用補助装置としては、係止突起、ラチェット歯列、スライド溝からなるラチェット機構によりスライドさせ保持寸法を変えるものが開示されている（実公平７−２８９３３号公報）。しかし、前記考案においては、スプレーにより塗料を吹き付ける際、前記ラチェット機構を構成するスライド溝内に塗料が付着してしまい、長期間の使用でラチェット機構が作動しなくなるおそれがあった。また、前記ラチェット機構は構造が複雑であるため、部品数が多く必要となり、安価に提供することが困難である。
【０００３】
【発明が解決しようとする課題】
本発明は、前記従来の問題点を解決するものであって、各種小物類の塗装に有用で、塗料等が付着しても被塗装物を保持することができる簡易な構造で安価に製造でき、更に、被塗装物の大小に関わらず保持可能である小物塗装用補助装置を提供しようとするものである。
【０００４】
【課題を解決するための手段】
本発明は、被塗装物５を保持する保持部材２と、該保持部材２を備えた本体３とからなる小物塗装用補助装置であって、前記保持部材２が、略コ字状の可動部２１と、該可動部２１の両端に連設される一対のコイル部２２と、該一対のコイル部２２から連設される一対の固定部２３とを有するように折曲形成された一対のバネ線材からなり、前記固定部２３を本体３に固定すると共に、前記可動部２１により、被塗装物５の対向する内面を外方に向かって弾発保持可能に構成するか、又は、被塗装物５の対向する外面を内方に向かって弾発保持可能に構成し、前記固定部２３を本体３に対して着脱自在に構成すると共に、前記本体３に固定部２３の取付箇所３２を複数設け、被塗装物５の非保持状態における一対の可動部２１間の距離を変更可能に構成すること（請求項１）を要件とする。
【０００５】
本発明の請求項１における「保持部材」とは、被塗装物５を保持するための部材であり、該保持部材２を形成する「弾性体」とは、それ自体が弾発性を有するものであればどのようなものでもよく、金属、樹脂、ゴム等の弾性材料を使用することができる。また、前記弾性体の形状としては、線状、コイル状、板状、球状等を挙げることができる。前記保持部材２を弾性体のみから構成することにより、安価に製造できると共に、塗料等が付着しても、前記保持部材２の作動不良を生じることなく長期間使用できる。
【０００６】
請求項１における「可動部」とは、前記保持部材２における被塗装物５を保持する保持箇所と、該保持箇所の両端から延設される一対の接続箇所から構成される略コ字状バネ線材である。前記「略コ字状」とは、完全なコ字状以外にも、保持箇所と一対接続箇所を備えていれば、Ｕ字状、Ｖ字状、Ｍ字状等いずれの形状であってもよい。前記「コイル部」とは、前記可動部２１の両端に連設される一対のリング状に巻かれた部分である。前記「固定部」とは、前記コイル部２２より一体に連設される、前記保持部材２を本体３に係止するための部分である。前記保持部材２に可動部２１、コイル部２２及び固定部２３を設けることで、単一のバネ線材から十分な弾発力を有する保持部材２を構成することができ、簡単な構造で被塗装物５を弾発保持することが可能となる。
【０００７】
請求項１において、「取付箇所」とは、前記固定部２３を係止可能にしたものであればどのようなものでもよく、孔状、溝状、突起状等とすることができる。前記固定部２３が本体３から着脱自在であり、被塗装物５の非保持状態における一対の可動部間の距離が調節可能となるので、被塗装物の大きさに合わせて保持部材や、小物塗装用補助装置全体を交換する必要がなくなり、広範囲の被塗装物の大きさに対応できるようになる。
【０００８】
【発明の実施の形態】
本発明の実施の形態を実施例に基づき図面に従って説明する。
【０００９】
図１乃至６に本発明の一実施例を示す。図１は本発明の小物塗装用補助装置１の外観斜視図であり、図２乃至図４は図１における小物塗装用補助装置１の分解した各部品の図である。
【００１０】
前記小物塗装用補助装置１は、合成樹脂成形品からなる本体３の両側面に、直径１．５ｍｍの金属製バネ線材を曲げ加工することにより得られる一対の保持部材２が取り付けられてなる。前記保持部材２は被塗装物５を係止する可動部２１と、該可動部２１に連設される一対のコイル部２２と、該一対のコイル部２２に連設される一対の固定部２３とから構成される。前記可動部２１はコ字状に折り曲げられており、被塗装物５を安定して保持させるために、該可動部２１のコイル部２２と逆側の端部を更に外方に折り曲げられている。また、本体３の孔部３２に前記保持部材２を安定して保持させるために、前記固定部２３の端部が本体３内部へ折り曲げられている。
【００１１】
前記本体３の上部の対向する両側面には、前記保持部材２のコイル部２２と係合させるための凸部３１が片面に２ヵ所ずつ、合計４ヵ所に配置されると共に、前記保持部材２の固定部２３の折り曲げ端部を挿入係止させるための孔部３２が、前記凸部３１の中心より本体３の内側に等距離且つ円弧上に、一つの凸部３１に対して３ヵ所ずつ、合計１２ヵ所配置されている。更に、前記孔部３２に前記固定部２３の折り曲げ端部を挿入係止させることにより、前記保持部材２が着脱自在且つ安定して係止される。前記保持部材２の可動部２１は、各々、外方向及び内方向に弾発付勢可能である。更に前記本体３下部には、中空軸部３３が設けられると共に、該中空軸部３３の下部には、指等で回転力を付与させる為の滑り止めをつけた回転操作部３４が設けられている。
【００１２】
更に、前記回転操作部３４の下側には、合成樹脂成形品である回転支持台４が設けられる。前記回転支持台４は、座部４１と、該座部４１の略中心から垂直に連設され、前記中空軸部３３に挿入され、回転可能に軸支する回転軸部４２から構成されている。
【００１３】
以上のような構成により、被塗装物５を安定して保持することができ、該被塗装物５を回転させて塗装することができるので、被塗装物５の外面全体を色ムラなく塗装することができる。
【００１４】
図５は本発明の小物塗装用補助装置１により被塗装物５（具体的にはプラモデル等の中空成形体）を係止した状態を示す縦断面図である。前記保持部材２により被塗装物５の対向する内面を外方に向かって弾発保持することで、被塗装物５の外面全体を塗装することが可能である。更に、使用により本体３や保持部材２に塗料が付着した場合においても可動部２１が作動不良を起こすことなく長期間安定して使用できる。
【００１５】
図６は本発明の小物塗装用補助装置１の被塗装物５の非保持状態を示す縦断面図である。前記保持部材２が本体３に対して着脱自在に構成されているため、該保持部材２を外して、被塗装物５の大きさに合わせて最適な位置の孔部３２に固定部２３の折り曲げ端部を挿入係止することで、非保持状態における可動部２１間の距離を調節することが可能である。被塗装物５の内側寸法又は外側寸法が比較的小さいものに対しては（ａ）のような状態で、被塗装物５がそれよりも大きいものに対しては（ｂ）のような状態で、更に被塗装物５がそれよりも大きいものに対しては（ｃ）のような状態で使用できる。特に、（ａ）のような状態は、被塗装物５の外面を内方に向かって保持するのに好適であり、（ｃ）のような状態は、被塗装物５の内面を外方に向かって保持するのに好適である。
【００１６】
【発明の効果】
本発明は、請求項１により、単一のバネ線材により保持部材を構成できるので、十分な弾発力を有する保持部材を低コストで製造できると共に、簡単な構造で被塗装物を弾発保持できる。更に、使用により保持部材や本体に塗料等が付着しても、保持部材の作動不良を生じることなく長期間安定して使用できる。また、被塗装物の大きさに合わせて保持部材や、小物塗装用補助装置全体を交換する必要がなくなり、一種類の保持部材で広範囲の被塗装物の大きさに対応できる。
【００１７】
【００１８】
【図面の簡単な説明】
【図１】本発明の実施例の小物塗装用補助装置の外観斜視図である。
【図２】図１の保持部材を示す外観斜視図である。
【図３】図１の本体を示す外観斜視図である。
【図４】図１の回転支持台を示す外観斜視図である。
【図５】図１の小物塗装用補助装置により被塗装物を保持した状態を示す縦断面図である。
【図６】図１の保持部材の可動部間の距離の調整方法について説明する縦断面図である。
【符号の説明】
１  小物塗装用補助装置
２  保持部材
２１  可動部
２２  コイル部
２３  固定部
３  本体
３１  凸部
３２  孔部
３３  中空軸部
３４  回転操作部
４  回転支持台
４１  座部
４２  回転軸部
５  被塗装物
【図１】
0004030797.tif 000002
【図２】
0004030797.tif 000003
【図３】
0004030797.tif 000004
【図４】
0004030797.tif 000005
【図５】
0004030797.tif 000006
【図６】
0004030797.tif 000007